(57)【要約】      （修正有）【課題】照明角度拡大可能なＬＥＤ照明装置を提供する。【解決手段】本照明角度拡大可能なＬＥＤ照明装置は、ヒートシンク１０、二つのＬＥＤ発光モジュール１２、及び、透光板１４を包含し、該ヒートシンクに第１表面１８と該第１表面に背向する第２表面２０及び該ヒートシンクの両側に位置する第１嵌合部２２を包含し、該第１表面に、外向きの二つの傾斜面２４が設けられ、該二つのＬＥＤ発光モジュールはそれぞれ該ヒートシンクの該二つの傾斜面に設置され、該透光板は、その両側に、該第１嵌合部に対応する第２嵌合部３０が形成され、該透光板が該ヒートシンクの第１嵌合部に嵌合される。【選択図】図３
0003158330.tif 000002
【実用新案登録請求の範囲】
【請求項１】
照明角度拡大可能なＬＥＤ照明装置において、
ヒートシンクであって、第１表面、該第１表面に背向する第２表面及び該ヒートシンクの両側に位置する第１嵌合部を包含し、該第１表面に、外に面した二つの傾斜面が設けられ、該第２表面に複数の放熱フィンが形成されている、上記ヒートシンクと、
それぞれ該ヒートシンクの該二つの傾斜面に設置された二つのＬＥＤ発光モジュールと、
両側に、該第１嵌合部に対応する第２嵌合部が形成され、該第２嵌合部により該ヒートシンクの第１嵌合部に嵌合される透光板と、
を包含したことを特徴とする照明角度拡大可能なＬＥＤ照明装置。
【請求項２】
請求項１記載の照明角度拡大可能なＬＥＤ照明装置において、該ヒートシンクは一体加圧加工により形成されたことを特徴とする照明角度拡大可能なＬＥＤ照明装置。
【請求項３】
請求項１記載の照明角度拡大可能なＬＥＤ照明装置において、該ヒートシンクの両側の第１嵌合部が滑り溝とされ、該透光板の両側の第２嵌合部はスライドレールとされたことを特徴とする照明角度拡大可能なＬＥＤ照明装置。
【請求項４】
請求項１記載の照明角度拡大可能なＬＥＤ照明装置において、該透光板の該ＬＥＤ発光モジュールに向いた面が凹凸面とされたことを特徴とする照明角度拡大可能なＬＥＤ照明装置。
【請求項５】
請求項１記載の照明角度拡大可能なＬＥＤ照明装置において、さらに二つのサイドカバーを包含し、該サイドカバーは該ヒートシンクと該透光板が結合された両端を被覆することを特徴とする照明角度拡大可能なＬＥＤ照明装置。
【請求項６】
請求項１記載の照明角度拡大可能なＬＥＤ照明装置において、該ヒートシンクは長尺状とされ、該ＬＥＤ発光モジュールもまた長尺状とされたことを特徴とする照明角度拡大可能なＬＥＤ照明装置。
【考案の詳細な説明】
【技術分野】
【０００１】
本考案は一種の照明角度拡大可能なＬＥＤ照明装置に係り、特に、組立が簡単で、照明範囲を拡大できるＬＥＤ照明装置に関する。
【背景技術】
【０００２】
日常生活中、照明設備は古くより不可欠の重要な工具であり、現在ある照明設備の大半は、バルブ或いは灯管を主要な光源としており、このようなバルブ或いは灯管中、比較的よく目にされるのは、蛍光灯、白熱灯、ハロゲンチューブ或いはハロゲンバルブである。そのうち、蛍光灯の消費電力は白熱灯バルブの４分の１であるが、寿命は５０倍であり、且つ発光の均一性に優れ、広角照明に運用可能であるため、広く使用されている。
【０００３】
以下に周知の蛍光ランプについて説明する。図１も参照されたい。図１は周知の蛍光ランプの構造分解図である。蛍光ランプは蛍光灯管７１とランプシート７２を包含し、蛍光灯管は灯管本体７１１と一対の口金７１２を具えている。口金７１２にはそれぞれ一対の電極コネクタ７１３が設けられている。ランプシート７２はランプシート本体７２１、一対の電極シート７２２、及びスタータ７２３を具え、電極シート７２２はランプシート本体７２１の両端部に設置され、並びに一対の電極挿入孔７２４を具えている。実際の使用時には、蛍光灯管７１は口金７１２の電極コネクタ７１３がランプシート７２の電極挿入孔７２４に差し込まれることにより、電気的接続を達成する。
【０００４】
蛍光灯管の発光原理は、電極の放出する電子と蛍光灯管内の粒子の衝突により、紫外線を発生させて灯管内に塗布された蛍光粉を励起させて白色光を発生させる、というものである。しかし、蛍光灯管内に塗布された蛍光粉は、通常汚染性の重金属元素（例えば水銀）を含有するため、回収再利用が難しいだけでなく、環境の汚染を形成しやすい。
【０００５】
近年、発光ダイオードの急速な発展と、ダイオードの持つ消費電力が小さく、装置寿命が長く、ウォームアップ時間が不要で、反応速度が速い等の長所に加え、その体積が小さく、振動に耐え、量産に適合することから、発光ダイオードは情報、通信及び消費性電子製品の指示ランプと表示装置、たとえば、携帯電話及びＰＤＡスクリーンバックライト、各種屋外ディスプレイ、交通標識及び車のランプ等に一般的に使用されている。
【０００６】
科学技術の向上に伴い、蛍光灯管に取って代わるＬＥＤランプが発展し、これにより蛍光灯管の形成する問題が克服された。以下に周知のＬＥＤランプを説明する。図２を参照されたい。図２は周知のＬＥＤランプの立体図である。
【０００７】
周知のＬＥＤランプは二つのスリーブ８１、透光性を有するランプカバー８２、回路板８３及び、回路板８３上に設置された複数のＬＥＤ８４で構成されている。組立時には、ランプカバー８２内に回路板８３を収容し、さらにランプカバーの２端を二つのスリーブ８１の間に嵌合すれば、ＬＥＤランプが完成する。
【０００８】
周知のＬＥＤランプは単一平面の発光範囲とされ、発光範囲は制限され、このため、比較的大範囲の照明が必要である時は、比較的多くのＬＥＤランプを並列に配置することにより、ＬＥＤランプの照明範囲を増すことができ、並びに大範囲照明の必要とする照明輝度を満足させる。しかし、多数のＬＥＤランプを使用することにより照明範囲と照明輝度を増加すると、使用コストが増すという問題が発生する。
【考案の概要】
【考案が解決しようとする課題】
【０００９】
このため、従来の技術においては、長期にわたり、大範囲照明時に過多のＬＥＤランプを使用することによりもたらされる使用コスト増加の問題が、存在している。このため、改善した技術手段を提出することにより、この問題を解決する必要がある。
【００１０】
本考案の主要な目的は、増加された照明範囲を有して、照明輝度の目的を達成する照明角度拡大可能なＬＥＤ照明装置を提供することにある。
【００１１】
本考案の別の目的は、組立に便利で、実用性がアップされた照明角度拡大できるＬＥＤ照明装置を提供することにある。
【課題を解決するための手段】
【００１２】
上述の効果及び目的を達成するため、本考案の技術特徴は、以下のとおりである。すなわち、本照明角度拡大可能なＬＥＤ照明装置は、ヒートシンク、二つのＬＥＤ発光モジュール、及び、透光板を包含し、該ヒートシンクに第１表面と該第１表面に背向する第２表面及び該ヒートシンクの両側に位置する第１嵌合部を包含し、該第１表面に、外向きの二つの傾斜面が設けられ、該二つのＬＥＤ発光モジュールはそれぞれ該ヒートシンクの該二つの傾斜面に設置され、該透光板は、その両側に、該第１嵌合部に対応する第２嵌合部が形成され、該透光板が該ヒートシンクの第１嵌合部に嵌合される。
【考案の効果】
【００１３】
こうして、本考案によると、該二つのＬＥＤ発光モジュールの傾斜配置により、その照明角度が拡大され、該ベースの互いに背向する側にそれぞれ一つのＬＥＤ発光モジュールを設置するとき、有効に照明角度を拡大して、照明輝度をアップでき、嵌合方式により透光板をヒートシンクに簡単に取り付けることができ、これによりさらに実用的とされている。
【００１４】
本考案のその他の目的、長所及び特色は、以下の好ましい実施例により詳細に説明され並びに図面が参照されることでさらに深い理解が得られるようにする。
【図面の簡単な説明】
【００１５】
【図１】周知の蛍光ランプの分解図である。
【図２】周知のＬＥＤランプの立体図である。
【図３】本考案の照明角度拡大可能なＬＥＤ照明装置の分解図である。
【図４】図３の組み合わせ立体図である。
【図５】図４の断面図である。
【考案を実施するための形態】
【００１６】
以下に図面と実施例を組み合わせて本考案の実施方式を詳細に説明し、これにより本考案がいかなる技術手段を応用して技術問題を解決し並びに技術効果を達成するかの実現過程について十分な理解が得られるようにし、並びにそれに基づいて実施できるようにする。
【００１７】
図３を参照されたい。これは本考案の照明角度拡大可能なＬＥＤ照明装置を示し、それは、ヒートシンク１０、二つのＬＥＤ発光モジュール１２、及び、透光板１４及び二つのサイドカバー１６を包含する。
【００１８】
該ヒートシンク１０は長尺状を呈し金属材料をプレス加工して形成され、それに、第１表面１８と該第１表面１８に背向する第２表面２０及び該ヒートシンク１０の両側に位置する第１嵌合部２２を包含し、該第１表面１８に、外向きの二つの傾斜面２４が設けられ、第１嵌合部２２は開口が外側に向いた滑り溝とされ、第２表面２０に複数の放熱フィン２５が形成されている。
【００１９】
各ＬＥＤ発光モジュール１２に回路板２６と回路板２６に設置された複数のＬＥＤ２８が設けられ、各ＬＥＤ発光モジュール１２はヒートシンク１０の第１表面１８の二つの傾斜面２４に設置される。
【００２０】
透光板１４は半円弧形状とされ、その両側にそれぞれヒートシンク１０の第１嵌合部２２に対応する第２嵌合部３０が形成され、透光板１４は第２嵌合部３０がヒートシンク１０の第１嵌合部２２に嵌合されることにより、ヒートシンク１０に固定され、且つ透光板１４のＬＥＤ発光モジュール１２に向いた面に凹凸面２３が形成され、これにより、透光板１４を通った光線が均一に拡散する。本実施例では、第２嵌合部３０はスライドレールとされ、スライド方式でヒートシンク１０の滑り溝内に嵌合される。
【００２１】
図４を参照されたい。二つのサイドカバー１６はそれぞれヒートシンク１０と透光板１４の結合後の両端に設置されて、ＬＥＤ発光モジュール１２を被覆し、並びに導電素子３２により二つのＬＥＤ発光モジュール１２と電気的に接触し、外部電源との接続に用いられる。
【００２２】
図５を参照されたい。これは本考案の照明角度拡大可能なＬＥＤ照明装置の組み合わせ断面図である。二つのＬＥＤ発光モジュール１２はそれぞれヒートシンク１０の第１表面１８の二つの傾斜面２４上に設置され、二つのＬＥＤ発光モジュール１２が異なる照明角度を呈するものとされ、これにより比較的大きな照明範囲を獲得でき、且つヒートシンク１０の放熱フィン２５により熱エネルギーが排出され、透光板１４はその両端の第２嵌合部３０がヒートシンク１０の第１嵌合部２２内に嵌合され、これにより透光板１４とヒートシンク１０の組立或いは分解に非常に便利であり、さらに実用性を有するものとされる。
【符号の説明】
【００２３】
７１  蛍光灯管              ７１１  灯管本体        ７１２  口金
７１３  電極コネクタ        ７２  ランプシート      ７２１  ランプシート本体
７２２  電極シート          ７２３  スタータ        ７２４  電極挿入孔
１０  ヒートシンク          １２  ＬＥＤ発光モジュール  １４  透光板
１６  サイドカバー          １８  第１表面          ２０  第２表面
２２  第１嵌合部            ２３  凹凸面            ２４  傾斜面
２５  放熱フィン            ２６  回路板            ２８  ＬＥＤ
３０  第２嵌合部            ３２  導電素子
【図１】
0003158330.tif 000003
【図２】
0003158330.tif 000004
【図３】
0003158330.tif 000005
【図４】
0003158330.tif 000006
【図５】
0003158330.tif 000007